(57)【要約】【課題】  拭布のすべての部分を床の払掃のために使用して、拭布を無駄なく使用すると共に、拭布の交換の手間を省き掃除の効率を促進する。  【解決手段】  モップ１のハンドル２の先端に回動可能に取り付けられ、拭布４を交換可能に装着できる方形のモップの拭布取付台において、  拭布取付台３の対向する二辺に沿って拭布係止部材５を立設し、この拭布係止部材５に拭布４を着脱自在に係止するための止着部５１を設け、前記止着部５１に拭布４を係止することで、拭布取付台３の底面と拭布係止部材５の表面に拭布４を装着したモップの拭布取付台。【選択図】図１
2008295545.tif 000002
【特許請求の範囲】
【請求項１】
モップのハンドルの先端に回動可能に取り付けられ、拭布を交換可能に装着できるモップの拭布取付台において、
前記拭布取付台の端部に沿って１個以上の拭布係止部材を立設し、この拭布係止部材に拭布を着脱自在に係止するための止着部を設け、前記止着部に拭布を係止することで、前記拭布取付台の底面と拭布係止部材の表面に拭布を装着し、
モップの使用時には、ハンドルと拭布取付台の角度を変えることにより、拭布を装着した拭布取付台の底面および拭布係止部材の表面を払掃面として使用することを特徴としたモップの拭布取付台。
【請求項２】
前記拭布取付台を長方形に形成しその対向する長辺に沿って２個の長方形の拭布係止部材を、前記拭布取付台の内側に向けて傾斜して取り付けたことを特徴とする請求項１記載のモップの拭布取付台。
【請求項３】
前記拭布係止部材を、起伏手段を用いて拭布取付台に対して起伏自在に取り付けたことを特徴とする請求項１または請求項２記載のモップの拭布取付台。
【請求項４】
前記拭布係止部材を、拭布取付台に対して着脱自在に装着できることを特徴とする請求項１または請求項２記載のモップの拭布取付台。
【発明の詳細な説明】
【技術分野】
【０００１】
本発明はモップの拭布取付台に関するものであり、詳しくは取り付けた拭布を有効に使用できるように、取付台に対し固定あるいは回動可能又は着脱自在とした拭布係止部を構成したモップの拭布取付台である。
【背景技術】
【０００２】
従来より、長尺のハンドルの先端に拭布を取り付けたモップが使用されている。このモップの拭布取付台に拭布を固定する際に、容易かつ強固に係止させるための発明が提案されている。
特許文献１に記載のモップの拭布取付台は、拭布（１）を交換可能に装着するための軟質合成樹脂からなる拭布取付台（２）の上面の左右複数箇所に、上方に立ち上がった台状部分（１２）を形成し、該台状部分（１２）に、装着した拭布（１）を押し込んで係止させるための弾力的に開閉可能な切り込み（１３）を穿設するとともに、該切り込み（１３）の縁部に、下方に垂下する係止壁部（１４）を形設したものである。
【特許文献１】特許第３２２４７０５号
【０００３】
前記特許文献１記載のモップの拭布取付台は、装着した拭布（１）を切り込み（１３）に押し込むことにより容易かつ確実に係止させることができる。しかし、モップで床を清掃する際には、拭布取付台（２）の下面を床に押し付けて滑らしながら拭くものであるから、台状部分（１２）の側面と上面に取り付けた拭布は床を清掃するために用いることはできない。
【発明の開示】
【発明が解決しようとする課題】
【０００４】
前記の拭布取付台を有するモップでは、拭布（１）を上部に係止すると拭布（１）の略半分が折り返されるため床を払掃できる面も略半分になり、残りの拭布（１）は使用されずに捨てられていた。拭布の素材は不織布がほとんどで材質は均質で裏表の全ての部分で払掃が可能であるため、略半分しか使用しないのは不経済であるという問題点があった。
【０００５】
本発明はこのような従来例の問題点を解決するために発明されたものであり、拭布のすべての部分を床の払掃のために使用して拭布を無駄なく使用すると共に、拭布の交換の手間を減らし掃除の効率を促進するモップの拭布取付台を提供する。
【課題を解決するための手段】
【０００６】
本発明の要旨とするところは、モップのハンドルの先端に回動可能に取り付けられ、拭布を交換可能に装着できるモップの拭布取付台において、前記拭布取付台の端部に沿って１個以上の拭布係止部材を立設し、この拭布係止部材に拭布を着脱自在に係止するための止着部を設け、前記止着部に拭布を係止することで、前記拭布取付台の底面と拭布係止部材の表面に拭布を装着し、モップの使用時には、ハンドルと拭布取付台の角度を変えることにより、拭布を装着した拭布取付台の底面および拭布係止部材の表面を払掃面として使用するモップの拭布取付台である。
【０００７】
また、本発明の要旨とするところは、前記拭布取付台を長方形に形成しその対向する長辺に沿って２個の長方形の拭布係止部材を、前記拭布取付台の内側に向けて傾斜して取り付けたモップの拭布取付台である。
【０００８】
また、本発明の要旨とするところは、前記拭布係止部材を、起伏手段を用いて拭布取付台に対して起伏自在に取り付けたモップの拭布取付台である。
【０００９】
また、本発明の要旨とするところは、前記拭布係止部材を、拭布取付台に対して着脱自在に装着できるモップの拭布取付台である。
【発明の効果】
【００１０】
モップの拭布取付台の端部に沿って１個以上の拭布係止部材を立設し、この拭布係止部材に拭布を着脱自在に係止することで、拭布取付台の底面と拭布係止部材の表面の両方を使用して拭掃ができるため、拭布の全部の面を床の払掃のために使用して、拭布を無駄なく使用できるため経済的であると共に、拭布の交換の時間と手間を省くことができ掃除の効率が良くなる。
【００１１】
前記拭布取付台を長方形に形成し、この拭布取付台の対向する長辺に沿って２個の長方形の拭布係止部材を拭布取付台の内側に向けて傾斜して取り付けた場合は、拭布係止部材の表面で拭掃を行う際に、拭布取付台が床に対して鋭角に保持されるため拭布取付台が安定した状態で拭掃ができる。
【００１２】
前記拭布係止部材を起伏自在に取り付けた場合は、一方の拭布係止部材で床を拭掃しているときに他方の拭布係止部材を拭布取付台の表面に折り畳むことでハンドルとの干渉を避けることができ、ハンドルの可動範囲が広くとれ拭掃作業の効率が良くなる。
【００１３】
前記拭布係止部材を、拭布取付台に対して着脱自在に装着できる構成とした場合は、拭布係止部材を備えていない既存の拭布取付台にも適用できる。
【発明を実施するための最良の形態】
【００１４】
本発明を実施するための最良の形態は、モップの下部に取り付けた長方形の拭布取付台の対向する長辺に、長方形の拭布係止部材を拭布取付台の内側（モップのハンドル側）に向けて傾斜して立設する。
この拭布係止部材に拭布を着脱自在に係止する止着部を設け、前記止着部に拭布の端部を係止することで、前記拭布取付台の底面と２個の拭布係止部材の表面に拭布を装着するモップの拭布取付台である。
【００１５】
本発明の実施形態を図面に基づいて説明する。図１は第１実施形態の拭布取付台を装着したモップの全体斜視図、図２及び図３は同使用状態の説明図、図４乃至図６は第２実施形態の使用状態の説明図、図７は第３実施形態の拭布取付台の斜視図、図８及び図９は同使用状態の説明図である。
【００１６】
モップ１は長尺のハンドル２と長方形の拭布取付台３からなる。この拭布取付台３は支持部材２１によってハンドル２に対して回動自在に取り付けられている。
【００１７】
前記拭布取付台３の長手方向の両端部すなわち対向する長辺の全長にわたって、長方形の板材からなる拭布係止部材５を、拭布取付台３の内側（ハンドル２側）に向けて傾斜して立設する。そしてこの拭布係止部材５に、不織布よりなる方形の拭布４を着脱自在に係止できる止着部５１を２個構成する。
【００１８】
前記止着部５１は、拭布４を押し込んで係止させるための弾力的に開閉可能な切り込みが構成された公知の構成である。この止着部５１に拭布４の端部を押し込み挟み込んで固定して、前記拭布取付台３の底面と２個の拭布係止部材５の表面に拭布４を装着するのである。
拭布係止部材５の表面には、拭布４の拭掃作業を効率よく行うために、拭布取付台３の底面と同様に、摩擦係数が大きく弾性を有する材質からなる薄膜を構成してある。
【００１９】
前記拭布取付台３の形状は長方形に限らず正方形、三角形等、任意の形状を採用できる。同様に拭布係止部材５の形状や個数も任意である。例えば正方形の拭布取付台３の２辺に拭布係止部材５を２個取り付けることができる。さらに拭布係止部材５の傾斜角度あるいは拭布４の形状や材質等も適宜選択できる。
また止着部５１の構造や個数も必要に応じて変更できる。
【００２０】
このように構成したモップ１を使用するときには、拭布４を装着してハンドル２と拭布取付台３の角度を適宜変更することにより、拭布取付台３と２個の拭布係止部材５の両方を清掃に使用することができるのである。
【００２１】
この使用状態を詳細に説明すると、まず図２に示すように拭布取付台３を床１０に密着させて前後または左右に滑らしながら清掃する。この場合、拭布４のうち、拭布取付台３の底面に装着された底面部分４１のみが床１０と接触していて、拭布係止部材５に装着された側面部分４２は床１０と接触していない。そのため、拭掃時には床１０と接触している底面部分４１のみが使用されて汚れていく。
【００２２】
このように拭布４の底面部分４１が汚れた場合、次に図３に示すように拭布取付台３を回動させて拭布係止部材５を床１０に接触させ、この状態で床１０を拭掃する。これによって拭布係止部材５の表面に装着した拭布４の側面部分４２によって拭掃が行われる。
【００２３】
このように、拭掃に際して拭布取付台３と拭布係止部材５を使い分けることで、それらの表面に装着した拭布４の底面部分４１と側面部分４２を別々に使用できるため、結果的に拭布４の全部の面を使用して拭掃を行うことができる。
そして拭布４の全部の面を使用した後に、拭布４を止着部５１，５１・・より取り外して新しい拭布を取り付けるのである。
このように、拭布４の全部の面を使用することで従来品に比べ約２倍の面を使用することができるので、経済的であると同時に拭布４の交換回数も少なくなり、その手間と時間が節約できるのである。
【００２４】
図４乃至図６に示すものは本発明の第２実施形態である。
本実施形態は、拭布係止部材５を起伏手段である蝶番５２によって拭布取付台３の内側に傾斜して取り付けている。そのため、拭布係止部材５は拭布取付台３に対して起伏自在であり、かつ蝶番５２によって任意の角度で傾斜させて固定することができる。
【００２５】
本実施形態のモップの拭布取付台の使用時に、拭布取付台３を使用して床１０を拭掃するときには、図５に示すように２個の拭布係止部材５を拭布取付台３の表面に折り畳んで行う。
【００２６】
拭布取付台３による拭掃が終了したら、図６に示すように一方の拭布係止部材５を起して立設し、拭布の側面部分４２で床１０を拭掃する。
【００２７】
本実施形態では、一方の拭布係止部材５で床１０を拭掃しているときには、他方の拭布係止部材５を拭布取付台３の表面に折り畳んでおく。これによって他方の拭布係止部材５のハンドル２との干渉が避けられ、ハンドル２の可動範囲が広くとれ拭掃作業の効率が良くなる。
なお、本実施形態のその他の構成及び作用は前記第１実施形態と同様であるため説明を省略する。
【００２８】
図７乃至図９に示すものは本発明の第３実施形態である。
本実施形態は、拭布係止部材を前記実施形態と異なり、拭布取付台に対して着脱自在としたものである。
すなわち、拭布取付台３表面と略同一形状の基板６１を構成し、この基板６１の長手方向の両端部全長にわたって長方形の拭布係止部材６２，６２を取り付けて着脱型拭布係止部材６を構成する。
【００２９】
前記拭布係止部材６２は基板６１の内側（基板の中心側）に向けて一定角度傾斜して取り付けられていて、両端部には拭布４の止着部６３，６３を設けてある。
また拭布係止部材６２の下端は、基板６１の端部より下方に位置していて、基板６１の底面と拭布係止部材６２の下端との間に所定の幅の当接部６２ａを構成している。この当接部６２ａは図８に示すように、装着時に拭布取付台３の側面３ａに当接して拭布係止部材６２を安定させる働きをする。
【００３０】
なお、図中６５は、ハンドル２を通すための孔であり、６４は基板６１を拭布取付台３に固定するための両面テープである。
【００３１】
本実施形態を使用するときには、基板６１を拭布取付台３の上に載置し、当接部６２ａ，６２ａを拭布取付台３の側面３ａ，３ａに接触させ、かつ両面テープ６４，６４で拭布取付台３の表面に固定する。
その後、前述のようにハンドル２を持って拭布取付台３を床１０上を滑らしながら拭掃する。そして、必要に応じて図９のように拭布取付台３を回動させて、拭布係止部材６２を使用して拭掃を行う。
【００３２】
このように、本実施形態の拭布係止部材６２は拭布取付台３に対して着脱自在であるので、既存のモップに装着して使用できるというメリットがある。
【図面の簡単な説明】
【００３３】
【図１】第１実施形態の拭布取付台を装着したモップの全体斜視図
【図２】第１実施形態の使用状態の説明図
【図３】第１実施形態の使用状態の説明図
【図４】第２実施形態の使用状態の説明図
【図５】第２実施形態の使用状態の説明図
【図６】第２実施形態の使用状態の説明図
【図７】第３実施形態の拭布取付台の斜視図
【図８】第３実施形態の使用状態の断面説明図
【図９】第３実施形態の使用状態の説明図
【符号の説明】
【００３４】
１    モップ
２    ハンドル
３    モップの拭布取付台
４    拭布
５    拭布係止部材
５１  止着部
５２  起伏手段（蝶番）
６    着脱型拭布係止部材
６１  基板
６２  拭布係止部材
６３  止着部
【図１】
2008295545.tif 000003
【図２】
2008295545.tif 000004
【図３】
2008295545.tif 000005
【図４】
2008295545.tif 000006
【図５】
2008295545.tif 000007
【図６】
2008295545.tif 000008
【図７】
2008295545.tif 000009
【図８】
2008295545.tif 000010
【図９】
2008295545.tif 000011